(57)【特許請求の範囲】
【請求項１】
内部に放水口が貫設されたヘッド本体と、該ヘッド本体の下部に接続され、外周に散水口が形成された筒状のフレームと、該フレーム内に設けられ、常時は前記放水口を封止し、火災時には降下する弁体と、前記フレーム内に設けられ、前記弁体を支持する感熱部材とを備えた閉鎖型泡ヘッドであって、
中央に開口部が形成された金網を前記フレーム内に設け、
前記金網の外周部を保持する保持部を前記フレーム内壁に備え、
前記感熱部材の長さは、前記フレームの内壁下端から前記保持部の高さまでの垂直方向の長さより長く形成し、
前記開口部に弁体を保持させるか、又は前記感熱部材を挿通させることを特徴とする閉鎖型泡ヘッド。
【請求項２】
前記金網は、動作前には前記放水口側に向かって凸状に設けられ、動作後には前記放水口から放出される消火水の放水圧により反転することを特徴とする請求項１記載の閉鎖型泡ヘッド。
【請求項３】
前記フレームは、前記ヘッド本体と接続するストレート部と、ストレート部の下方に縮径するテーパ部とからなり、前記ストレート部と前記テーパ部との境目が前記保持部となることを特徴とする請求項１又は２記載の閉鎖型泡ヘッド。
【発明の詳細な説明】
【技術分野】
【０００１】
本発明は火災を消火する閉鎖型泡ヘッドに関するものである。
【背景技術】
【０００２】
従来の閉鎖型泡ヘッドには、フレーム型スプリンクラヘッドを利用したものがある。これは、給水管に接続されるねじ部を有し中心部に放水口が貫設された本体と、本体の放水口を封止する弁体と、本体から下方に向けて設けられる２本のアームからなるフレームと、弁体を支持するグラスバルブと、からなるフレーム型スプリンクラヘッドにおいて、その本体下面に発泡用の有底筒状の金網を備えたものである。
【０００３】
この閉鎖型泡ヘッドでは、金網の内部に弁体が収容されており、この弁体を金網の外部からグラスバルブで支持している。火災時に、グラスバルブが破裂すると、弁体が、弁体下部に設けたガイド部材によってガイドされて降下して、金網内部底面に着座し、放水口が開放される。こうして放水口から流れ出た泡水溶液が弁体頭部にあたって金網内に拡散し、金網から外部に出るとき泡となって放出される。（特許文献１参照）。
【先行技術文献】
【特許文献】
【０００４】
【特許文献１】意匠登録第１３１７６３８号
【発明の概要】
【発明が解決しようとする課題】
【０００５】
従来の閉鎖型泡ヘッドは、２本のアームからなるフレーム型スプリンクラヘッドで構成され、そのアームによりグラスバルブを保持している。グラスバルブはガラス製のため、外力によって壊れてしまうこともあり、従来の閉鎖型泡ヘッドのように、グラスバルブの周囲に２本のアームしかないと、グラスバルブが露出し、外部からの衝撃を受けやすいという問題がある。
【課題を解決するための手段】
【０００６】
この発明は、内部に放水口が貫設されたヘッド本体と、ヘッド本体の下部に接続され、外周に散水口が形成された筒状のフレームと、フレーム内に設けられ、常時は放水口を封止し、火災時には降下する弁体と、フレーム内に設けられ、弁体を支持する感熱部材とを備えた閉鎖型泡ヘッドであって、中央の開口部に弁体が保持された金網をフレーム内に設け、金網の外周部を保持する保持部をフレーム内壁に備え、前記感熱部材の長さは、前記フレームの内壁下端から前記保持部の高さまでの垂直方向の長さより長く形成し、開口部に弁体を保持させるか、又は前記感熱部材を挿通させることを特徴とする。
【発明の効果】
【０００７】
閉鎖型泡ヘッドを構成するフレームが、筒状で外周に散水口を備えているので、フレーム内部で弁体を支持しているグラスバルブが外部に露出せず、外力を受けにくい。そのため、外力によってグラスバルブが割れるのを防ぐことができる。
【０００８】
金網はグラスバルブの上方に設けられ、通常時は散水口を塞がない位置に設けられているので、グラスバルブが破裂した後、グラスバルブの破片は、フレームの散水口から排出される。そのため、フレーム内にグラスバルブの破片が残ることはなく散水に支障をきたさない。また、金網によって散水口が塞がれていないので、グラスバルブに熱気流があたりやすい。
【０００９】
また、弁体が金網中央で保持され、金網の外周がフレーム内壁に保持されているので、グラスバルブが破裂した後、弁体は、金網によって所定位置まで降下する。そのため、金網がガイド部材としての機能を併せ持ち、弁体を降下させるためのガイド部材が不要となる。
【図面の簡単な説明】
【００１０】
【図１】本発明の閉鎖型泡ヘッド（作動前）の断面図である。
【図２】本発明の閉鎖型泡ヘッド（作動前）の側面図である。
【図３】本発明の閉鎖型泡ヘッドの底面図である。
【図４】本発明の閉鎖型泡ヘッド（作動時）の断面図である。
【発明を実施するための最良の形態】
【００１１】
以下、本発明の閉鎖型泡ヘッド１を、図１乃至図３を用いて説明する。図１において、２はヘッド本体で、ヘッド本体２の中央内部には消火水（泡水溶液）が放水される放水口３が貫設されている。ヘッド本体２の上部外周には、立ち下がり管と接続するためのねじ部が形成されている。ヘッド本体２の下部にはフランジ部２Ａが形成され、このフランジ部２Ａ外周部の内側には雌ねじが形成され、そこに散水口７を有するフレーム４の上部が螺着される。フレーム４は、例えば下方に向かって縮径する略円錐状、又は断面台形状の有底筒状からなる。
【００１２】
フレーム４は、放射状に形成された８本のアームから構成され、各アームの間には散水口７が形成される。フレーム４の散水口７は、フレーム４の周面に、所定の大きさで形成される。散水口７は、周方向に等間隔をおいて設けられており、例えば８個の散水口７がフレーム４に設けられている。散水口７の大きさは、後述する感熱部材６の幅よりも大きい方が好ましい。これにより、熱気流のフレーム４内への流れが良くなり、感知の精度が向上すると共に、後述する感熱部材６が破裂した際に、その破片をフレーム４外に排出できる。散水口７の形状は、下方側が尖った略三角形状に形成されているが、形状は特に限定されない。
【００１３】
また、フレーム４の内壁には、後述する金網１０の外周部１０Ａを保持する保持部８が形成されている。保持部８は、通常時における弁体５の位置よりも下方、即ち感熱部材６側に設けられている。保持部８は、フレーム４内壁に水平方向に沿って円形に設けられた切欠であり、この切欠に金網１０の外周部１０Ａが圧入又は嵌合されて、係止される。
【００１４】
なお、保持部８としては、動作時において金網１０を保持できれば良く、また通常時の位置から動いても良く、例えば次のようにすることも可能である。フレーム４がヘッド本体２と接続されるストレート部と、ストレート部の下方に縮径していくテーパ部を備えた略三角錐状の場合、ストレート部とテーパ部の境目を保持部８としても良い。なお、通常時においては、この境目よりも上方にあるストレート部の内壁に金網１０の外周部１０Ａが、金網１０の弾性力によって保持されている。つまり、金網１０の外周部１０Ａをフレーム４に固定しないため、動作時において、金網１０は降下するが、フレーム４のストレート部と下方に向かって縮径するテーパ部によって金網１０の降下は止まり、そこで保持される。動作時において、金網１０は、放水口３から放水される泡水溶液の放水圧によって反転はするが、その反転した状態を保てる程度の硬度を有している。
【００１５】
５は弁体で、頭部５Ａの下部にフランジ部５Ｂを有する。弁体５は、常時は放水口３を封止する。６は感熱部材で、例えばグラスバルブである。以下、本実施例では感熱部材６をグラスバルブ６として説明する。グラスバルブ６はフレーム４内に設けられ、弁体５を支持している。グラスバルブ６の上端は、弁体５の下方内側に形成した凹部内に挿入され、下端はフレーム４の各アームがフレーム４下部で結合する場所（フレーム底部）に設けられた止めねじ上に置かれている。このグラスバルブ６の長さは、フレーム４の内壁下端から保持部８の高さまでの垂直方向の長さよりも長く形成される。
【００１６】
９は空気取入口で、ヘッド本体２のフランジ部２Ａに複数個設けられており、閉鎖型泡ヘッド１外部とフレーム４内部とが連通している。放水口３から泡水溶液が放出される際に、空気取入口９から空気が取り込まれて、発泡させる。
【００１７】
１０は金網で、ドーナツ状をしており、中央には弁体５を保持するための開口部を有している。金網１０の外径はフレーム４の内径よりも長いことが好ましいが、金網１０の外径は、フレーム４内壁に水平方向に沿って円形に形成された保持部８の直径より長ければよい。また、金網１０の中央にある開口部の内径は弁体５のフランジ部５Ｂの外径とほぼ同じ長さである。動作前における金網１０は、中央側が上方に向かって凸状になった状態でフレーム４内に設けられ、放水口３から放出される泡水溶液の放水圧により反り返って、中央側が下方に向かって凸状になるような反転可能な硬度を有する。
【００１８】
金網１０の外周部１０Ａはフレーム４の保持部８により保持されており、弁体５が降下した後も外周部１０Ａは保持部８に保持され続ける。なお、金網１０の内周部１０Ｂは弁体５のフランジ部５Ｂに接続されて保持されており、例えば、金網１０の内周部１０Ｂと弁体５のフランジ部５Ｂは、例えば弁体５のフランジ部５Ｂの下部をかしめて結合される。そして、弁体５が降下した後も内周部１０Ｂはフランジ部５Ｂを保持し続ける。
【００１９】
金網１０の外周部１０Ａを保持する保持部８はフレーム４の上方に位置し、フレーム４の散水口７よりも上方に位置する。また、金網１０の内周部１０Ｂと接続されている弁体５のフランジ部５Ｂは、通常時において保持部８よりも垂直方向に高い位置にある。従って、通常時は、散水口７は金網１０によって塞がれていない状態にある。また、動作時においては、フランジ部５Ｂは保持部８より低い位置に降下し、放水された泡水溶液は弁体５や金網１０に衝突した後、散水口７から放出される。より具体的には、動作時の弁体５の位置は、散水口７の下端よりも上方の位置にとどまるように、金網１０の長さが設定されている。
【００２０】
続いて、本発明におけるスプリンクラヘッドの火災時の動作を、図４を用いて説明する。火災時には、火災の熱によりグラスバルブ６が破裂し、放水口３を封止していた弁体５が降下して、放水口３を開栓する。このとき、グラスバルブ６はフレーム４内に設けられているが、散水口７がグラスバルブ６に対してある程度大きな形状のため、熱気流はあたりやすい。グラスバルブ６が破裂すると、グラスバルブ６の幅より大きく形成された散水口７から、破裂したグラスバルブ６の破片が落下する。そのため、フレーム４内にグラスバルブ６の破片が残ることはなく、散水に支障をきたすことはない。
【００２１】
そしてグラスバルブ６によって支持されていた弁体５が降下する。弁体５がフレーム４内の保持部８の高さまで降下すると、金網１０の反り返りが反転する。その後、弁体５は金網１０が反転して降下した分だけ降下する。金網１０の外周部１０Ａはフレーム４の保持部８により保持され、金網１０の内周部１０Ｂは弁体５のフランジ部５Ｂを保持しているため、弁体５はフレーム４内の空間に位置する。このように、弁体５は金網１０の中央にある開口部内に設けられ、金網１０の内周部１０Ｂで保持されており、金網１０の外周部１０Ａはフレーム４内壁の保持部８により保持されているため、グラスバルブ６が破裂した後、弁体５は金網１０によって所定位置まで降下する。そのため、弁体５を降下させるためのガイド部材を設ける必要がなくなる。
【００２２】
弁体５が開栓すると、泡水溶液が放水口３から放出される。そして泡水溶液は、空気取入口９から取り込んだ空気を巻き込んで金網１０に衝突して発泡する。
【００２３】
本発明は以上のように、閉鎖型泡ヘッド１を構成するフレーム４は円錐状又は円筒状であり、周面に散水口７が設けられている、いわゆるマルチ型ヘッドである。そのため、フレーム４の内部で弁体５を支持しているグラスバルブ６が外部に露出せず、外力の影響を受けにくいので、外力によってグラスバルブ６が割れるのを防ぐことができる。また、フレーム型ヘッドに比べ、マルチ型ヘッドにすることで外観が良くなる。
【００２４】
本実施形態では、金網１０は上記のような断面ハ字型のものを使用したが、金網１０の形状はこれに限られない。金網１０は水平に広がる平板状のものでも良い。この場合、金網１０は、中央部にグラスバルブ６が挿通される開口部を有する。そして、この金網１０の外周部１０Ａをフレーム４の散水口７より上方の位置に設けて、フレーム４内壁の保持部８で保持させる。弁体５は金網１０と接続されずに、放水口３を止水している。動作時には、グラスバルブ６が破裂すると弁体５が降下し、金網１０の中央部に着座する。この場合、弁体５の降下をガイドするガイド部材を弁体５の下面に設けても良い。金網１０の形状をこのようにしても、グラスバルブ６を外力から保護できる閉鎖型泡ヘッド１とすることができる。
【符号の説明】
【００２５】
１  閉鎖型泡ヘッド、２  ヘッド本体、２Ａ  フランジ部、３  放水口、４  フレーム、５  弁体、５Ａ  頭部、５Ｂ  フランジ部、６  感熱部材（グラスバルブ）、７  散水口、８  保持部、９  空気取入口、１０  金網、１０Ａ  外周部、１０Ｂ  内周部。
【図１】
0005714971.tif 000002
【図２】
0005714971.tif 000003
【図３】
0005714971.tif 000004
【図４】
0005714971.tif 000005